(57)【要約】【課題】  サーマルプロテクタを固着するための部品点数が多くなり、コストが高くなる問題があった。【解決手段】  回転センサにはサーマルプロテクタの形状に沿った凹部が形成され、前記サーマルプロテクタは前記凹部に埋設されるとともに、前記回転センサに設けられたフック部の弾性力によって固着されていることを特徴とする。【選択図】 図３
2018098918.tif 000002
【特許請求の範囲】
【請求項１】
固定子と、前記固定子に対して回転する回転子を備え、前期固定子には前記回転子の磁極位置を検出する回転センサが装着され、前記固定子には電機子巻線が巻装され、前記電機子巻線には温度検出のためのサーマルプロテクタが装着されているモータにおいて、
前記回転センサにはサーマルプロテクタの形状に沿った凹部が形成され、前記サーマルプロテクタは前記凹部に埋設されるとともに、前記回転センサに設けられたフック部の弾性力によって固着されていることを特徴とするモータ。
【請求項２】
請求項１記載のモータにおいて、
前記凹部フック部が１ヶ所ないし２ヶ所有することを特徴とするモータ。
【請求項３】
請求項１または請求項２記載のモータを適用したことを特徴とする洗濯機。
【発明の詳細な説明】
【技術分野】
【０００１】
本発明は、モータに係わり、また、これを用いた洗濯機に関する。
【背景技術】
【０００２】
現在の縦型洗濯機の主電動機においては、運転時の消費電力量の低減および騒音を抑制するためＤＣブラシレスモータを搭載することが多く、前記ＤＣブラシレスモータは回転数を自在に制御できるようにＰＷＭ制御にて駆動している。
【０００３】
衣類が洗濯翼にからまり洗濯翼の回転がロックし過負荷となった時に、ＤＣブラシレスモータに過大な電流が長時間流れてしまいその電流によって電機子巻線が発熱し、いずれは発煙、発火に至る。またＤＣブラシレスモータは三相交流通電で運転されるが、まれに駆動回路の故障や断線などにより二相通電で運転してしまうことがあり、二相通電は三相通電より大きな電流が流れるので、電機子巻線の発熱量が多くなり最悪の場合には発煙、発火に至る。これらの発煙、発火を保護するために電機子巻線にサーマルプロテクタという保護部品を取り付ける。サーマルプロテクタとは二端子の電子部品であり、通常端子間は導通しているが温度が設定温度を超えると内部のバイメタルが反転し、回路が遮断する構造となっている。ＤＣブラシレスモータに取り付けるサーマルプロテクタではこの端子を制御回路に取り込み、電機子巻線温度の観測を行っている。ＤＣブラシレスモータの温度検知でサーマルプロテクタを用いている例としては、特許文献１（特開２００５−１４３２１０号公報）、特許文献２（特許３００４２２０号）に示されている。
【先行技術文献】
【特許文献】
【０００４】
【特許文献１】特開２００５−１４３２１０号公報
【特許文献２】特許３００４２２０号
【発明の概要】
【発明が解決しようとする課題】
【０００５】
ＤＣブラシレスモータの電機子巻線にサーマルプロテクタを取り付ける方法としては、電機子巻線の端部にサーマルプロテクタを設置し、結束バンドで共締め固定する方法があるが、ＤＣブラシレスモータの絶縁階級が高温になると、結束バンドの耐熱温度も高くする必要があり結束バンドのコストが高くなってしまう。またＤＣブラシレスモータの発煙リスクを低減するためサーマルプロテクタを複数個取り付ける時にもその分コストがかかってしまうことになる。本発明によれば結束バンドを使用することなくサーマルプロテクタを取り付けることができ、部品点数とコストを抑えたＤＣブラシレスモータを提供することができる。
【課題を解決するための手段】
【０００６】
固定子と、前記固定子に対して回転する回転子を備え、前記固定子には前期固定子には前記回転子の磁極位置を検出する回転センサが装着され、前記固定子には電機子巻線が巻装され、前記電機子巻線には温度検出のためのサーマルプロテクタが装着されている磁石モータにおいて、前記回転センサにはサーマルプロテクタの形状に沿った凹部が形成され、前記サーマルプロテクタは前記凹部に埋設されるとともに、前記回転センサに設けられたフック部の弾性力によって固着されていることを特徴とする。
【発明の効果】
【０００７】
部品点数を減らし、コストを抑えたＤＣブラシレスモータを提供することができる。
【図面の簡単な説明】
【０００８】
【図１】本発明の一実施形態に関わる縦型洗濯機の概観図である。
【図２】本発明の一実施形態に関わるＤＣブラシレスモータの平面図である。
【図３】本発明の一実施形態に関わるＤＣブラシレスモータの図２の断面図である。
【図４】本発明の一実施形態に関わる回転センサの取付け分解図である。
【図５】本発明の一実施形態に関わるサーマルプロテクタの取付け分解図である。
【図６】本発明の一実施形態に関わる回転センサの平面図である。
【図７】本発明の一実施形態に関わる回転センサの図６の断面図である。
【図８】本発明の一実施形態に関わる固定子の正面図と側面図である。
【図９】本発明の一実施形態に関わる回転子の半断面図である。
【発明を実施するための形態】
【０００９】
以下、本発明の一実施形態に関わる縦型洗濯機１００、およびそれに用いられる磁石モータを、図１〜図１１を参照して説明する。
【００１０】
図１は本実施形態に関わる縦型洗濯機１００の概観図である。縦型洗濯機１００は、最外郭に筐体１１０を備え、内槽としての洗濯槽１１３を包括する外槽１１２を備えており、筐体１１０と外槽１１２は制振棒１１１で連結されている。外槽１１２の下部にはフランジ１１５を備え、フランジ１１５にはクラッチ部１１６とＤＣブラシレスモータ１を備えている。クラッチ部１１６と撹拌翼１１４はシャフト１２０で連結されており、クラッチ部１１６にはプーリ１１７をＤＣブラシレスモータ１にはプーリ１１８を備え、プーリ１１７とプーリ１１８はベルト１１９で連結されＤＣブラシレスモータの動力がクラッチ部１１６へと伝わり、撹拌翼１１４を回転させる構造となっている。
【００１１】
図２は本発明に係わるＤＣブラシレスモータの平面図、図３は本発明に係わるＤＣブラシレスモータの断面図、図４は回転センサの取付け分解図、図５はサーマルプロテクタの取付け分解図、図６は回転センサの平面図、図７は回転センサの断面図、図８は固定子の正面図と側面図、図９は回転子の半断面図である。ＤＣブラシレスモータ１は固定子１０と回転子３０、出力側エンドブラケット７０、反出力側エンドブラケット８０から形成され、固定子１０は固定子コア１１に形成されたスロット１２に三相巻線である電機子巻線１３が巻装され、固定子コア１１と電機子巻線１３には絶縁体１４によって電気的に絶縁されている。回転子３０は回転子コア３１に複数個の永久磁石３２が埋設され、回転子コア３１の中心部にシャフト３４が嵌合されており、前期シャフト３４の両端部にベアリング３５と３６が嵌合されている。出力側エンドブラケット７０および反出力側エンドブラケット８０の内径に固定子１０の外径が嵌合され、固定子１０の内径側には回転子３０があり、出力側エンドブラケット７０と反出力側エンドブラケット８０には円筒形の窪みが形成されそこにベアリング３５、３６が内包されている。出力側エンドブラケット７０と反出力側エンドブラケット８０はネジ９０にて結合されている。前記固定子１０には前記回転子３０に埋設されている前記永久磁石３２の位置を検出するために回転センサ４０がねじ５０によって締結されている。また前記電機子巻線１３の温度を検出するためにサーマルプロテクタ６０が固着されている。前記回転センサ４０はセンサ挿入孔４１が３ヶ所、前記絶縁体１４との嵌合穴４２、前記サーマルプロテクタ６０の挿入部４３、前記サーマルプロテクタ６０の軸方向の動きを拘束するフック部４４、前記絶縁体１４とのねじ止め孔４５が設けられている。
【００１２】
次にＤＣブラシレスモータ１の組み立て方法および回転センサ４０、サーマルプロテクタ６０の取付け方法について説明する。まず反出力側エンドブラケット８０に固定子１０を嵌合しその後回転子３０のベアリング３６を反出力側エンドブラケット８０に挿入する。続いて回転センサ４０と絶縁体１４をねじ５０により結合し、サーマルプロテクタ６０を径方向より挿入する。続いて出力側エンドブラケット７０を固定子１０に嵌合し、反出力側エンドブラケット８０をねじ９０にて固定する。回転センサのフック部４４は弾性により４４ａのように変形することができるためサーマルプロテクタ６０の挿入性を容易にしており、挿入後フック部４４は元の形状に戻るためサーマルプロテクタ６０は径方向に動くことはない。また挿入部４３により周方向への動きが拘束され、フック部４４で軸方向への動きが拘束されるためサーマルプロテクタ６０は全方向へ拘束されることとなり電機子巻線１３の温度を正確に検知できるようになる。また電機子巻線１３は巻線が数十回巻装されているため、軸方向の高さにバラつきがでるが、挿入後フック部４４が軸方向に弾性変形の範囲内で自在に動くため、サーマルプロテクタ６０と電機子巻線１３が常に接触している構造となっている。
【００１３】
以上本実施例によれば、結束バンドを使用することなくサーマルプロテクタを取り付けることができ、部品点数とコストを抑えたＤＣブラシレスモータを提供することが出来る。
【符号の説明】
【００１４】
１        ＤＣブラシレスモータ
１０      固定子
１１      固定子コア
１２      スロット
１３      電機子巻線
１４      絶縁体
３０      回転子
３１      回転子コア
３２      磁石
３４      シャフト
３５      ベアリング
３６      ベアリング
４０      回転センサ
４１      センサ挿入孔
４１      反出力軸側ハウジング
４２      嵌合穴
４３      サーマルプロテクタ挿入部
４４      フック部
４５      ねじ止め孔
５０      ねじ
６０      サーマルプロテクタ
７０      出力側エンドブラケット
８０      反出力側エンドブラケット８０
９０      ねじ
１００    縦型洗濯機
１１０    筐体
１１１    制振棒
１１２    外槽
１１３    洗濯槽
１１４    撹拌翼
１１５    フランジ
１１６    クラッチ部
１１７    プーリ
１１８    プーリ
１１９    ベルト
１２０    シャフト
【図１】
2018098918.tif 000003
【図２】
2018098918.tif 000004
【図３】
2018098918.tif 000005
【図４】
2018098918.tif 000006
【図５】
2018098918.tif 000007
【図６】
2018098918.tif 000008
【図７】
2018098918.tif 000009
【図８】
2018098918.tif 000010
【図９】
2018098918.tif 000011